(57)【要約】      （修正有）【課題】落石予防に用いられるワイヤロープの格子端部に生じるＴ字交点に接続可能な接続部材及び落石対策構造体を提供する。【解決手段】１枚の板状体に、格子中間部のワイヤロープ接続口と、アンカー接続口と、格子端部のワイヤロープの挟み込み部と、板状体同士を接合するための結合具の挿入口をそれぞれ設け、その板状体の２枚以上の組み合わせからなることを特徴とし、ワイヤロープ接続具１３を装着した格子中間部のワイヤロープと、地中に打設したアンカー１１を結合具１２を用いて固定することで、格子端部に生じるＴ字交点に接続可能な接続部材とする。【選択図】図３
0003197563.tif 000002
【実用新案登録請求の範囲】
【請求項１】
落石予防として架設された格子状のワイヤロープの、格子端部のＴ字交点に設置する部材であって、
格子中間部のワイヤロープ接続口と、アンカー接続口と、格子端部のワイヤロープ挟み込み部と、板状体同士を接合するための結合具の挿入口をそれぞれ設けた２枚以上の板状体からなることを特徴とする接続部材。
【請求項２】
交点が格子状に固定されているとともに、格子端部が請求項１に記載の接続部材により接続されてなるワイヤロープと、前記接続部材に固定されている地山に打ち込まれたアンカーとからなることを特徴とする落石対策構造体。
【考案の詳細な説明】
【技術分野】
【０００１】  本考案は、落石を予防するために用いられるワイヤロープとアンカーの接続部材及び落石対策構造体に関するものである。
【背景技術】
【０００２】  ワイヤロープとアンカーを用い落石の予防を図る場合、ワイヤロープを格子状に架設し、そのワイヤロープと接続したアンカーを地山に打ち込むことで浮石などを押さえ込み、落石の初動を抑制する工法が実用に供されている。
【先行技術文献】
【非特許文献】
【０００３】
【非特許文献１】「治山林道必携（設計積算編）平成２０年度版」，一般社団法人日本治山治水協会・日本林道協会，平成２０年５月，ｐ．３４４
【考案の概要】
【考案が解決しようとする課題】
【０００４】  上記の方法は、ワイヤロープの格子の交点を固定するためにワイヤロープを十字に交差しなければならず、格子端部のＴ字の交点ではワイヤロープを延長させることで十字とし、延長したワイヤロープの端部には別途アンカーを設置する必要があった。【０００５】  ワイヤロープを格子架設面から延長させるため、工事境界の内側に格子を架設することが必要となり、工事境界内の施工範囲が制限されていた。また、ワイヤロープの格子の架設面から離れた場所にアンカーを打設すると、架設面端部が地山から浮き上がることがあるため、落石がこぼれ出る可能性のある場合は、ワイヤロープを地山に押さえ込むアンカーを増設しなければならなかった。【０００６】  本考案は上記の事柄に留意してなされたもので、その目的は、ワイヤロープの格子端部に生じるＴ字交点に接続可能な接続部材及び落石対策構造体を提供することである。
【課題を解決するための手段】
【０００７】  上記目的を達成するために、本考案に係る接続部材は、落石予防として架設された格子状のワイヤロープの、格子端部のＴ字交点に設置する部材であって、格子中間部のワイヤロープ接続口と、アンカー接続口と、格子端部のワイヤロープ挟み込み部と、板状体同士を接合するための結合具の挿入口をそれぞれ設けた２枚以上の板状体からなることを特徴とする。（請求項１）【０００８】  さらに、上記目的を達成するために、本考案に係る落石対策構造体は、交点が格子状に固定されているとともに、格子端部が請求項１に記載の接続部材により接続されてなるワイヤロープと、前記接続部材に固定されている地山に打ち込まれたアンカーとからなることを特徴とする。（請求項２）
【考案の効果】
【０００９】  上記の構成からなる本考案によれば、ワイヤロープの格子端部に生じるＴ字交点に接続が可能となり、十字交点を作るためにワイヤロープを延長させ別途アンカーを設置する必要がなくなる。【００１０】  すなわち、工事境界に限りなく近い位置までワイヤロープの格子を設置することができ、施工範囲を広げることが可能になる。【００１１】  また、ワイヤロープの格子架設面端部を地山に密着させることができ、ワイヤロープの浮き上がりに対するアンカーの増設が必要なくなる。
【図面の簡単な説明】
【００１２】
【図１】本考案に係る落石対策構造体の概略図である。
【図２】本考案の接続部材の構成を示す説明図である。
【図３】本接続部材の設置方法を示した説明図である（平面図）。
【図４】本接続部材の設置方法を示した説明図である（側面図）。
【考案を実施するための形態】
【００１３】  以下、本考案の実施の形態について図面を参照しながら説明する。
【００１４】  図１において、本実施形態に係る接続部材１は浮石６の落下を防ぐために格子状に架設されたワイヤロープの格子端部のワイヤロープ２と格子中間部のワイヤロープ３により生じるＴ字交点に用いるものである。
【００１５】  また、図２において、本実施形態に係る接続部材１は、格子中間部のワイヤロープ接続口９と、アンカー接続口８と、格子端部のワイヤロープ挟み込み部と、板状体同士を接合するための結合具の挿入口１０をそれぞれ設けた２枚の板状体７により形成されるものである。
【００１６】  そして、図３及び図４に示すように、前記板状体７で格子端部のワイヤロープ２を挟み込み、ボルトナット等の結合具１２を用いて固定し、ワイヤロープ接続具１３を装着した格子中間部のワイヤロープ３を接続し、また、前記アンカー接続口８に地山に打ち込まれたアンカー１１を接続することにより、格子端部を構成することができる。
【符号の説明】
【００１７】  １    接続部材
２    格子端部のワイヤロープ
３    格子中間部のワイヤロープ
４    十字交点固定具
５    アンカー固定具
６    浮石
７    板状体
８    アンカー接続口
９    ワイヤロープ接続口
１０  結合具挿入口
１１  アンカー
１２  結合具
１３  ワイヤロープ接続具
【図１】
0003197563.tif 000003
【図２】
0003197563.tif 000004
【図３】
0003197563.tif 000005
【図４】
0003197563.tif 000006
【手続補正書】
【提出日】平成27年3月6日(2015.3.6)
【手続補正１】
【補正対象書類名】実用新案登録請求の範囲
【補正対象項目名】請求項１
【補正方法】変更
【補正の内容】
【請求項１】
落石予防として架設された格子状のワイヤロープの、格子端部のＴ字交点に設置する部材であって、
１枚の板状体に、格子中間部のワイヤロープ接続口と、アンカー接続口と、格子端部のワイヤロープ挟み込み部と、板状体同士を接合するための結合具の挿入口をそれぞれ設け、その板状体の２枚以上の組み合わせからなることを特徴とする接続部材。
【手続補正２】
【補正対象書類名】明細書
【補正対象項目名】０００７
【補正方法】変更
【補正の内容】
【０００７】  上記目的を達成するために、本考案に係る接続部材は、落石予防として架設された格子状のワイヤロープの、格子端部のＴ字交点に設置する部材であって、１枚の板状体に、格子中間部のワイヤロープ接続口と、アンカー接続口と、格子端部のワイヤロープ挟み込み部と、板状体同士を接合するための結合具の挿入口をそれぞれ設け、その板状体の２枚以上の組み合わせからなることを特徴とする。（請求項１）